(57)【要約】【課題】突起物のない状態で補強材となるロッド端末部同士の確実な締結状態を確保する。【解決手段】少なくとも両自由端が重なり合うリング状に形成された固定バンド３と、固定バンド３を貫通し一方にねじ部７が、他方に前記重なり合う自由端領域にねじ頭部１９がそれぞれ突出し、ロッド第１締付け部２１とロッド第２締付け部２３とに分ける固定ねじ５と、突出した前記固定ねじ５のねじ部７と螺合し前記ロッド第１，第２締付け部２１，２３の開口径を拡縮させる固定ナット９とで構成し、前記固定ねじ５のねじ部７に、締付け完了時に固定ナット９から突出するねじ部分を折って短くするための切断用の長さ調整溝３１を設ける。【選択図】図１
2006153050.tif 000002
【特許請求の範囲】
【請求項１】
少なくとも両自由端が重なり合うリング状に形成された固定バンドと、固定バンドを貫通し一方にねじ部が、他方に前記重なり合う自由端領域にねじ頭部がそれぞれ突出し、ロッド第１締付け部とロッド第２締付け部とに分ける固定ねじと、突出した前記固定ねじのねじ部と螺合し前記ロッド第１，第２締付け部の開口径を拡縮させる固定ナットとからなり、前記固定ねじのねじ部に、少なくとも１つ以上の切断用の長さ調整溝を設けるようにしたことを特徴とするロッド接続用締結金具。
【請求項２】
前記固定ナットは、固定バンドに一体に固着されていることを特徴とする請求項１記載のロッド接続用締結金具。
【請求項３】
前記切断用の長さ調整溝は、リング状の周溝となっていることを特徴とする請求項１記載のロッド接続用締結金具。
【請求項４】
請求項１記載のロッド接続用締結金具に用いられるねじ部切断用治具であって、操作把手部と、その操作把手部から所定の長さ延長された治具筒部と、治具筒部に設けられ筒部先端が挿入口となるねじ部挿入孔とからなることを特徴とするねじ部切断用治具。
【発明の詳細な説明】
【技術分野】
【０００１】
本発明は、例えば、コンクリート製電柱の内部に使用される補強材となるロッドの端末同士を接続するのに適するロッド接続用締結金具とそのねじ部切断用治具に関する。
【背景技術】
【０００２】
従来、コンクリート製電柱の経年変化に対して、例えば、中空に作られた電柱の内部に、例えば、アラミド繊維で作られた補強材となるロッドを所定の間隔で配置した後、内部をモルタル等の充填材で固めることで耐用年数の向上が図られている。
【特許文献１】特開２００４−９２３７６号公報
【発明の開示】
【発明が解決しようとする課題】
【０００３】
コンクリート製電柱の補強は、今まで経年変化が起き易い下半分に対して行なわれてきたが、近年は電柱の全領域にわたって行なわれるようになっている。
【０００４】
このために、アラミド繊維で作られた補強材となるロッドは電柱の上から下まで届く長さが要求されるが、あまり長いと搬送作業及び保守、管理の面で望ましくないところから、例えば、現在あるロッドを順次継ぎ足すことで、一本の連続した補強用のロッドとして使用することが考えられる。
【０００５】
この場合、各ロッドの端末同士を継ぎ足す時には一般的に締結金具が用いられ、その代表例として、例えば、各ロッドの端末同士を抱持する帯板状のバンド部分に、ボルト、ナット、あるいはビス、ナットからなる締付け部分を設けたものが知られている。締付け部分となるボルト、ナットは、ボルトを弛める方向へ回転させることで、各ロッドの端末部分が挿入しやすいようにバンド部分の開口径を大きくすることができる。
【０００６】
一方、ナットに対してボルトを締付ける方へ回転させることでバンド部分による強い締付け力が得られるようになるが、この時、ボルトの先端はナットから突起物として大きく突出する。突起物として大きく突出する現象は、例えば、径の大きいものから径の小さいものまで１つで対応を図ろうとする時に顕著となる。これは、径の小さいものを使用した時にその締付け代が大きくなるためその分、ボルトの先端はナットからの突出量が多くなるためである。
【０００７】
この突起物は、例えば、電柱の頭部上端開口からロッドを継ぎ足しながら内部へ垂らしながら挿入していく時、電柱内壁面に引っかかる等、作業が一時中断し挿入作業に時間がかかる等作業能率の面で望ましくない。
【０００８】
特に、電柱の内部はコンクリートが打ちっ放しの状態にあるため凹凸が多い上に、補強用のワイヤが一部分に露出する等挿入作業に支障をきたす条件が揃っており、このような条件下でも円滑に挿入作業が行なえるよう締結金具の改善が求められている。
【０００９】
そこで、本発明は突起物のない状態で補強材となるロッド端末同士の締結が行なえるロッド接続用締結金具とそのねじ部切断用治具を提供することを目的とする。
【課題を解決するための手段】
【００１０】
前記目的達成するために、本発明にあっては、
少なくとも両自由端が重なり合うリング状に形成された固定バンドと、固定バンドを貫通し一方にねじ部が、他方に前記重なり合う自由端領域にねじ頭部がそれぞれ突出し、ロッド第１締付け部とロッド第２締付け部とに分ける固定ねじと、突出した前記固定ねじのねじ部と螺合し前記ロッド第１、第２締付け部の開口径を拡縮させる固定ナットとからなり、前記固定ねじのねじ部に、少なくとも１つ以上の切断用の長さ調整溝を設けるようにしたことを特徴とする。
【発明の効果】
【００１１】
本発明によれば、固定ねじを固定ナットから一杯に弛めた状態とすることで第１、第２締付け部の開口径を大きくすることができるため、補強材となるロッド端末部を容易に挿入セットすることができる。次に、固定ナットに対して固定ねじを締付ける方向へ回転させることで固定バンドによって各ロッド端末部同士を確実に締結することができる。
【００１２】
この時、固定ねじは固定ナットから大きく突出するようになるが、切断用の長さ調整溝から折るようにして切断することで突起物はなくなり、突起感のない締結状態を得ることができる。この結果、例えば、電柱の頭部上端開口から内部へ各ロッドを継ぎ足しながら挿入する時、円滑に挿入作業を行なうことができる。
【発明を実施するための最良の形態】
【００１３】
第１には、前記固定ナットを、固定バンドに一体に固着して、部品点数の削減を図り管理工数の向上を図る。
【００１４】
第２には、前記切断用の長さ調整溝を、リング状の周溝として、ねじ部に対する加工を容易とする。
【００１５】
第３には、ロッド接続用締結金具に用いるねじ部切断用治具を、操作把手部と、その操作把手部から所定の長さ延長された治具筒部と、治具筒部に設けられ筒部先端が挿入口となるねじ部挿入孔とで構成し、ねじ部挿入孔をねじ部の長さ調整溝まで挿入し、操作把手部を上下、あるいは左右の何れか一方へ回動させることによって容易に折ることができるようにする。
【００１６】
〔実施例〕
以下、図１乃至図７に示す実施形態について具体的に説明する。
【００１７】
図１は本発明にかかる締結前のロッド接続用締結金具の概要切断正面図、図２は分解説明図をそれぞれ示している。
【００１８】
ロッド接続用締結金具１は、リング状となる固定バンド３と固定バンド３を貫通した固定ねじ５と固定ねじ５のねじ部７と螺合し合う固定ナット９からなっている。
【００１９】
固定バンド３は、帯板状の形状でばね性状を備え、そのほぼ中央部位にはナット固定凹部１１が、両自由端には長孔１３、１３がそれぞれ設けられ、両自由端が重ね合わさることでリング状の長円が作られるようになっている。
【００２０】
固定ナット９は、内側がねじ孔１５となっていて前記ナット固定凹部１１に一体に固着され、固定バンド３と一体となることで管理する部品点数は図２に示すように固定バンド３と固定ねじ５の２点で済むようになっている。固定ナット９のねじ孔１５は前記ナット固定凹部１１に設けられた開口孔１７と対向し、ねじ孔１５、開口孔１７と両自由端に設けられた長孔１３とは同一軸線Ｘ上に位置する配置構造となっている。
【００２１】
固定ねじ５は、ねじ頭部１９と前記したねじ部７とからなり、ねじ部７は固定バンド３の両自由端に設けられた長孔１３側から挿入され、固定ナット９のねじ孔１５と螺合している。これにより、固定バンド３を貫通する前記固定ねじ５によって一方にはロッド第１締付け部２１が、他方にロッド第２締付け部２３がそれぞれ作られるようになり、ロッド第１、第２締付け部２１、２３は、固定ねじ５を右回転又は左回転させることで開口径の拡縮が可能となり、強く締付けたり、弛めたりできるようになっている。
【００２２】
固定ねじ５のねじ頭部１９は、図１仮想線で示すようにレンチ等の工具２７によって固定ねじ５を回転させるための六角穴２９を有している。この場合、プラス又はマイナスドライバ等の工具によって回転させるビスタイプの場合にはねじ頭部１９にはプラス又はマイナス溝が設けられるようになる。
【００２３】
固定ねじ５のねじ部７には少なくとも１つ以上の切断用の長さ調整溝３１が設けられ、その長さ調整溝３１はリング状の周溝３３となっている。リング状の周溝３３は、例えば、回転自在に支持した固定ねじ５に対してそのねじ部７に切削工具となるバイトをあてることで簡単に作ることが可能となっており、周溝３３の溝径はねじ部７より細い径となるため、例えば、図６に示すようにねじ部切断用治具３５を用いることで、その部位から折れるようになっている。なお、周溝３３の溝形状としては断面Ｖ字状、断面Ｕ字状等実施に対応した形状としてよい。
【００２４】
一方、ねじ部切断用治具３５は、操作把手部３７とその操作把手部３７の中央部位から延長された治具筒部３９とからなりその治具筒部３９にはねじ部挿入孔４１が設けられている。
【００２５】
ねじ部挿入孔４１は、孔周面が平滑面となっていて筒部先端は前記ねじ部挿入孔４１の挿入口４１ａとなっている。挿入口４１ａから操作把手部３７までとなる治具筒部３９の長さＬは、ねじ部７を折る時のモーメントＭとして作用するところから長い方が良いが、あまり長いと扱いやすさ操作性等が損なわれるところから、それらを考慮して設定されることが望ましい。
【００２６】
このように構成されたロッド接続用締結金具１により、例えば、アラミド繊維で作られた補強材となるロッド４３、４３の各端末部同士を締結するには、まず、図１に示すように固定ねじ５を一杯に弛めてロッド第１、第２締付け部２１、２３の開口径を大きくしておき、ロッド４３の各端末部をロッド第１、第２締付け部２１、２３に挿入する。この時、大きい開口径によって迅速に挿入できる。挿入完了後、固定ねじ５を締付ける方向へ回転させることで、図４に示すように固定バンド３によって各端末部４３を確実に締付けることができる。以下、例えば、図７に示すように３箇所にわたって締付けることで一体に確実に接続することが可能となる。
【００２７】
この時、固定ねじ５のねじ部７は図４に示すように固定ナット９から大きく突出するようになるから、突出したねじ部７に仮想線で示すように、ねじ部切断用治具３５のねじ部挿入口４１を挿入した後、上下、あるいは左右の何れか一方へ回動させれば、周溝３３から折れて、図５に示すように突起物のない締付け状態を得ることができる。この結果、電柱４５の頭部上端開口からロッド４３、４３を継ぎ足しながら内部へ挿入する時、電柱内部の凹凸と引っ掛かることなく円滑に挿入作業を完了することができる。尚、本実施形態ではロッドの先端を長さ方向に接続する場合について説明したが、本発明はこれに限定されることなくロッドの強度を増すために平行に並べた複数のロッドをそれぞれ接続しても良い。
【図面の簡単な説明】
【００２８】
【図１】本発明にかかる接続用締結金具の概要切断正面図。
【図２】ロッド接続用締結金具の分解説明図。
【図３】図１の概要側面図。
【図４】固定ナットから固定ねじが突出した締付け完了後のロッド接続用締結金具の説明図。
【図５】固定ナットから突出したねじ部を切断し突起物のないロッド接続用締結金具の説明図。
【図６】ねじ部切断用治具の一部切断説明図。
【図７】ロッドの各端末同士を複数のロッド接続用締結金具で締結した状態を示す説明図。
【符号の説明】
【００２９】
３    固定バンド
５    固定ねじ
７    ねじ部
９    固定ナット
１９    ねじ頭部
２１    ロッド第１締付け部
２３    ロッド第２締付け部
３１    切断用の長さ調整溝
３３    周溝
３５    ねじ部切断用治具
３７    操作把手部
３９    治具筒部
４１    ねじ部挿入孔
４１ａ    挿入口
【図１】
2006153050.tif 000003
【図２】
2006153050.tif 000004
【図３】
2006153050.tif 000005
【図４】
2006153050.tif 000006
【図５】
2006153050.tif 000007
【図６】
2006153050.tif 000008
【図７】
2006153050.tif 000009